【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
遊技の進行を制御する主制御基板と、
該主制御基板からのコマンドをシリアルデータとして受信して演出の進行を制御する副制御基板と、
前記主制御基板、及び前記副制御基板に電力を供給する電源基板と、
を備える遊技機であって、
前記電源基板は、少なくとも、
前記主制御基板、及び前記副制御基板の基準制御電圧を作成する基準制御電圧作成回路部と、
前記主制御基板から前記副制御基板へシリアルデータを送信する際に用いる通信制御電圧を作成する通信制御電圧作成回路部と、
を備え、
前記主制御基板は、少なくとも、
前記基準制御電圧作成回路部が作成する前記基準制御電圧が印加される第１の電源ラインと、
前記通信制御電圧作成回路部が作成する前記通信制御電圧が印加される第２の電源ラインと、
前記基準制御電圧作成回路部の補助電源として機能する第１の補助電源と、
前記通信制御電圧作成回路部の補助電源として機能する第２の補助電源と、
前記第２の電源ラインとアノード端子とが電気的に接続されるとともに、前記第２の補助電源とカソード端子とが電気的に接続されるダイオードと、
複数のコマンドがセットされる送信バッファレジスタから該複数のコマンドを送信シフトレジスタに転送してシリアルデータとして送信するシリアル送信回路部と、
該シリアル送信回路部から送信されるシリアルデータを、前記基準制御電圧とするシリアル信号から前記通信制御電圧とするシリアル信号に変換するインターフェース回路部と、
を備え、
前記シリアル送信回路部は、前記第１の電源ラインと前記第１の補助電源とが電気的に並列接続されるとともに、瞬停が発生した際に、当該第１の電源ラインから印加される前記基準制御電圧が低下しても当該第１の補助電源からの当該基準制御電圧が印加され、
前記インターフェース回路部は、前記ダイオードのカソード端子と前記第２の補助電源とが電気的に並列接続されるとともに、瞬停が発生した際に、前記第２の電源ラインから当該ダイオードを介して印加される前記通信制御電圧が低下しても当該第２の補助電源からの当該通信制御電圧が印加され、
前記第１の補助電源と前記第２の補助電源とは、前記副制御基板に対して電気的に絶縁されるようにそれぞれ回路構成されていることを特徴とする遊技機。
【請求項２】
前記通信制御電圧作成回路部は、前記通信制御電圧を前記基準制御電圧より高い電圧として作成し、
前記第１の補助電源は、そのプラス端子と前記第１の電源ラインとが電気的に接続されるとともに、そのマイナス端子とグランドとが電気的に接続される第１の電解コンデンサであり、
前記第２の補助電源は、そのプラス端子と前記ダイオードのカソード端子とが電気的に接続されるとともに、そのマイナス端子とグランドとが電気的に接続される第２の電解コンデンサであり、
前記第１の電解コンデンサ、及び前記第２の電解コンデンサは、少なくとも、前記シリアル送信回路部の送信バッファレジスタにセットされた前記複数のコマンドをシリアルデータとしてすべて前記インターフェース回路部を介して前記副制御基板へ送信完了することができる静電容量を有することを特徴とする請求項１に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、瞬停対策が施された遊技機に関するものである。
【手続補正４】
【補正対象書類名】明細書
【補正対象項目名】０００６
【補正方法】変更
【補正の内容】
【０００６】
本発明は、このような事情に鑑みてなされたものであり、その目的とするところは、瞬停時におけるコマンドの取りこぼしを解消することができる遊技機を提供することにある。
【手続補正５】
【補正対象書類名】明細書
【補正対象項目名】０００８
【補正方法】変更
【補正の内容】
【０００８】
（解決手段１）
遊技の進行を制御する主制御基板と、該主制御基板からのコマンドをシリアルデータとして受信して演出の進行を制御する副制御基板と、前記主制御基板、及び前記副制御基板に電力を供給する電源基板と、を備えるパチンコ遊技機であって、前記電源基板は、少なくとも、前記主制御基板、及び前記副制御基板の基準制御電圧を作成する基準制御電圧作成回路部と、前記主制御基板から前記副制御基板へシリアルデータを送信する際に用いる通信制御電圧を作成する通信制御電圧作成回路部と、を備え、前記主制御基板は、少なくとも、前記基準制御電圧作成回路部が作成する前記基準制御電圧が印加される第１の電源ラインと、前記通信制御電圧作成回路部が作成する前記通信制御電圧が印加される第２の電源ラインと、前記基準制御電圧作成回路部の補助電源として機能する第１の補助電源と、前記通信制御電圧作成回路部の補助電源として機能する第２の補助電源と、前記第２の電源ラインとアノード端子とが電気的に接続されるとともに、前記第２の補助電源とカソード端子とが電気的に接続されるダイオードと、複数のコマンドがセットされる送信バッファレジスタから該複数のコマンドを送信シフトレジスタに転送してシリアルデータとして送信するシリアル送信回路部と、該シリアル送信回路部から送信されるシリアルデータを、前記基準制御電圧とするシリアル信号から前記通信制御電圧とするシリアル信号に変換するインターフェース回路部と、を備え、前記シリアル送信回路部は、前記第１の電源ラインと前記第１の補助電源とが電気的に並列接続されるとともに、瞬停が発生した際に、当該第１の電源ラインから印加される前記基準制御電圧が低下しても当該第１の補助電源からの当該基準制御電圧が印加され、前記インターフェース回路部は、前記ダイオードのカソード端子と前記第２の補助電源とが電気的に並列接続されるとともに、瞬停が発生した際に、前記第２の電源ラインから当該ダイオードを介して印加される前記通信制御電圧が低下しても当該第２の補助電源からの当該通信制御電圧が印加され、前記第１の補助電源と前記第２の補助電源とは、前記副制御基板に対して電気的に絶縁されるようにそれぞれ回路構成されていることを特徴とする遊技機。
【手続補正６】
【補正対象書類名】明細書
【補正対象項目名】００１３
【補正方法】変更
【補正の内容】
【００１３】
インターフェース回路部は、シリアル送信回路部から送信されるシリアルデータを、基準制御電圧とするシリアル信号から通信制御電圧とするシリアル信号に変換するものであり、ダイオードのカソード端子と第２の補助電源とが電気的に並列接続されるとともに、瞬停が発生した際に、第２の電源ラインからダイオードを介して印加される通信制御電圧が低下しても第２の補助電源からの通信制御電圧が印加されている。
第１の補助電源と第２の補助電源とは、副制御基板に対して電気的に絶縁されるようにそれぞれ回路構成されている。
【手続補正７】
【補正対象書類名】明細書
【補正対象項目名】００１５
【補正方法】変更
【補正の内容】
【００１５】
本実施形態では、例えば、図１０３の主制御基板４１００が主制御基板に相当し、図１０３の周辺制御基板４１４０が副制御基板に相当し、図１００の電源基板８５１が電源基板に相当し、図１のパチンコ遊技機１が遊技機に相当し、図１００の＋５．２Ｖが基準制御電圧に相当し、図１００の＋５．２Ｖ作成回路８５１ｄが基準制御電圧作成回路部に相当し、図１００の＋１２Ｖが通信制御電圧に相当し、図１００の＋１２Ｖ作成回路８５１ｆが通信制御電圧作成回路部に相当し、図１００の主制御フィルタ回路部４１００ｇを介して各種電子部品に供給される＋５．２Ｖが第１の電源ラインに相当し、図１０３のダイオードＭ２０のアノード端子に印加される＋１２Ｖが第２の電源ラインに相当し、図１０２の主制御フィルタ回路４１００ｇの電解コンデンサＭＣ２が第１の補助電源に相当し、図１０３の電解コンデンサＭＣ２０が第２の補助電源に相当し、図１０３のダイオードＭＤ２０がダイオードに相当し、図１０３の主制御ＭＰＵ４１００ａに内蔵された主周シリアル送信ポート４１００ａｅの送信バッファレジスタ４１００ａｅｂが送信バッファレジスタに相当し、図１０３の主制御ＭＰＵ４１００ａに内蔵された主周シリアル送信ポート４１００ａｅの送信シフトレジスタ４１００ａｅａが送信シフトレジスタに相当し、図１０３の主制御ＭＰＵ４１００ａに内蔵された主周シリアル送信ポート４１００ａｅがシリアル送信回路部に相当し、図１０３のプルアップ抵抗ＭＲ２０、抵抗ＭＲ２１，ＭＲ２２、及びトランジスタＭＴＲ２０から構成される回路がインターフェース回路部に相当する。
【手続補正８】
【補正対象書類名】明細書
【補正対象項目名】００１６
【補正方法】変更
【補正の内容】
【００１６】
（解決手段２）
解決手段１に記載の遊技機であって、前記通信制御電圧作成回路部は、前記通信制御電圧を前記基準制御電圧より高い電圧として作成し、前記第１の補助電源は、そのプラス端子と前記第１の電源ラインとが電気的に接続されるとともに、そのマイナス端子とグランドとが電気的に接続される第１の電解コンデンサであり、前記第２の補助電源は、そのプラス端子と前記ダイオードのカソード端子とが電気的に接続されるとともに、そのマイナス端子とグランドとが電気的に接続される第２の電解コンデンサであり、前記第１の電解コンデンサ、及び前記第２の電解コンデンサは、少なくとも、前記シリアル送信回路部の送信バッファレジスタにセットされた前記複数のコマンドをシリアルデータとしてすべて前記インターフェース回路部を介して前記副制御基板へ送信完了することができる静電容量を有することを特徴とする遊技機。こうすれば、主制御基板から副制御基板へ送信中に瞬停が発生しても、送信バッファレジスタにセットされた複数のコマンドをシリアルデータとしてすべてインターフェース回路部を介して副制御基板へ送信完了することができる。したがって、副制御基板は、送信バッファレジスタにセットされた複数のコマンドを寸断することなく、また欠落することなく確実に受信することができる。
【手続補正９】
【補正対象書類名】明細書
【補正対象項目名】００１７
【補正方法】変更
【補正の内容】
【００１７】
本実施形態では、例えば、図１０２の主制御フィルタ回路４１００ｇの電解コンデンサＭＣ２が第１の電解コンデンサに相当し、図１０３の電解コンデンサＭＣ２０が第２の電解コンデンサに相当する。